【手続補正書】
【提出日】平成23年11月1日(2011.11.1)
【手続補正１】
【補正対象書類名】明細書
【補正対象項目名】０１７５
【補正方法】変更
【補正の内容】
【０１７５】
【表１】
2011508251.tif 000001
本発明の実施態様の一部を以下に列記する。
［１］
１０％以下のセルロース表面引力を示す表面層を有する光学基材を含む、光学ディスプレイであって、
当該表面層が
Ａ）
ｉ）少なくとも１つのエチレン系不飽和基を含む、少なくとも１種のペルフルオロポリエーテルモノマー、
ｉｉ）少なくとも１つのエチレン系不飽和基を含む、少なくとも１種のポリ（アルキレンオキシド）モノマー、及び
ｉｉｉ）所望により、ペルフルオロポリエーテル基及びアルキレンオキシド反復単位を欠く、少なくとも１種のエチレン系不飽和モノマー、の反応生成物を含む、少なくとも１種のペルフルオロポリエーテルポリマーと、
Ｂ）少なくとも５０質量％の非フッ素化結合剤前駆体との反応生成物を含む、光学ディスプレイ。
［２］
前記表面層が５％未満のセルロース表面引力を示す、［１］に記載の光学ディスプレイ。
［３］
前記表面層が少なくとも８０度の水との静止接触角を示す、［１］に記載の光学ディスプレイ。
［４］
前記表面層が少なくとも９０度の水との静止接触角を示す、［１］に記載の光学ディスプレイ。
［５］
前記表面層が少なくとも５０度のヘキサデカンとの後退接触角を示す、［１］に記載の光学ディスプレイ。
［６］
ｉ）が少なくとも６００ｇ／モルの分子量を有する、単官能性ペルフルオロポリエーテルモノマーを含む、［１］に記載の光学ディスプレイ。
［７］
ｉ）が少なくとも６００ｇ／モルの分子量を有する、二官能性ペルフルオロポリエーテルモノマーを含む、［１］に記載の光学ディスプレイ。
［８］
前記ペルフルオロポリエーテルが、鎖中に少なくとも４つの酸素ヘテロ原子を有する、［１］に記載の光学ディスプレイ。
［９］
ｉｉ）がアルキレンオキシド反復単位を含む単官能性モノマーを有する、［１］に記載の光学ディスプレイ。
［１０］
ｉｉ）がアルキレンオキシド反復単位を含む二官能性モノマーを有する、［１］に記載の光学ディスプレイ。
［１１］
ｉｉ）が少なくとも４つのアルキレンオキシド反復単位を含む、［１］〜［１０］のいずれか一項に記載の光学ディスプレイ。
［１２］
ｉｉ）が少なくとも４つのエチレンオキシド反復単位を含む、［１］〜［１０］のいずれか一項に記載の光学ディスプレイ。
［１３］
ｉｉ）が少なくとも６つのエチレンオキシド反復単位を含む、［１］〜［１０］のいずれか一項に記載の光学ディスプレイ。
［１４］
前記ペルフルオロポリエーテルポリマーが、少なくとも１つの重合性エチレン系不飽和基を含む、［１］〜［１３］のいずれか一項に記載の光学ディスプレイ。
［１５］
ｉ）、ｉｉ）、及びｉｉｉ）が１種以上のモノエチレン系不飽和モノマーからなる、［１］〜［１４］のいずれか一項に記載の光学ディスプレイ。
［１６］
前記重合性エチレン系不飽和基がラジカル重合性基である、［１］〜［１５］のいずれか一項に記載の光学ディスプレイ。
［１７］
前記重合性エチレン系不飽和基が（メタ）アクリル基である、［１］〜［１６］のいずれか一項に記載の光学ディスプレイ。
［１８］
前記ペルフルオロポリエーテルポリマーが、約５，０００ｇ／モル〜５０，０００ｇ／モルの範囲の分子量を有する、［１］〜［１７］のいずれか一項に記載の光学ディスプレイ。
［１９］
ｉ）が式Ｆ（ＣＦ（ＣＦ３）ＣＦ２Ｏ）ａＣＦ（ＣＦ３）−（式中、ａは４〜１５の範囲）を有する、ペルフルオロポリエーテル部分を含む、［１］に記載の光学ディスプレイ。
［２０］
前記非フッ素化結合剤前駆体が、少なくとも２つのラジカル重合性基を有する、少なくとも１種のエチレン系不飽和モノマーを含む、［１］に記載の光学ディスプレイ。
［２１］
前記基材が、ポリエステル、ポリカーボネート、アクリル樹脂、セルロースアセテート、及びセルローストリアセテートから選択される、［１］に記載の光学ディスプレイ。
［２２］
前記表面層が無機酸化物粒子を更に含む、［１］に記載の光学ディスプレイ。
［２３］
無機酸化物粒子を含むハードコート層が前記基材と前記表面層との間に配置されている、［１］に記載の光学ディスプレイ。
［２４］
前記ディスプレイが、前記光学基材と前記表面層との間に帯電防止層を更に含む、［１］に記載の光学ディスプレイ。
［２５］
１０％以下のセルロース表面引力を示す表面層を有する基材であって、当該表面層が、
Ａ）
ｉ）少なくとも１つのエチレン系不飽和基を含む、少なくとも１種のペルフルオロポリエーテルモノマー、
ｉｉ）少なくとも１つのエチレン系不飽和基を含む、少なくとも１種のポリ（アルキレンオキシド）モノマー、及び
ｉｉｉ）所望により、少なくとも１つのエチレン系不飽和基を含む、少なくとも１種の他のモノマー、の反応生成物を含む、少なくとも１種のペルフルオロポリエーテルポリマーと、
Ｂ）少なくとも５０質量％の非フッ素化結合剤前駆体とを含む重合性混合物の反応生成物を含む、基材。
［２６］
次の一般式で表されるペルフルオロポリエーテルポリマーであって、
【化１】
2011508251.tif 000002
式中、
ＭＦＰＥは、ペルフルオロポリエーテル基及び少なくとも６００ｇ／モルの分子量を有する、１種以上のモノエチレン系不飽和モノマーに由来する反復単位を表し、
ＭＡＯは、アルキレンオキシド反復単位を有する１種以上のエチレン系不飽和モノマーに由来する反復単位を表し、
ＭＭＡは、ペルフルオロポリエーテル基及びアルキレンオキシド反復単位を欠く、エチレン系不飽和モノマーに由来する単位を表し、
各Ｘは個別に各々独立して、エチレン系不飽和基を含み、
ｎ及びｍは各々独立して、１〜１００の値を表し、ここでｎ＋ｍの合計は少なくとも３であり、
ｑは０〜１００の値を表し、かつ
ｒ及びｓは各々独立して、ｒ＋ｓの合計が少なくとも１であるという条件で０〜６の値を表す、ペルフルオロポリエーテルポリマー。
［２７］
前記ポリマーが約５〜５０質量％のＭＦＰＥを含む、［２６］に記載のペルフルオロポリエーテルポリマー。
［２８］
ＭＡＯが少なくとも４つのエチレンオキシド反復単位を含む、［２６］に記載のペルフルオロポリエーテルポリマー。
［２９］
前記重合性エチレン系不飽和基がラジカル重合性基である、［２６］〜［２８］のいずれか一項に記載のペルフルオロポリエーテルポリマー。
［３０］
前記重合性エチレン系不飽和基が（メタ）アクリル基である、［２９］に記載のペルフルオロポリエーテルポリマー。
［３１］
ＭＡＯ、ＭＭＡ、又はこれらの組み合わせが、ウレタン結合によってＸに結合している、［２６］に記載のペルフルオロポリエーテルポリマー。
［３２］
ＭＦＰＥが式Ｆ（ＣＦ（ＣＦ３）ＣＦ２Ｏ）ａＣＦ（ＣＦ３）−（式中、ａは４〜１５の範囲）を有する、ＨＦＰＯ−部分を含む、［２６］に記載のペルフルオロポリエーテルポリマー。
［３３］
前記ポリマーが次の一般的構造を有し、
【化２】
2011508251.tif 000003
式中、ＰＥＯが少なくとも４つの反復単位を有する、ポリエチレンオキシドであるとともに、Ｒ’が独立してＨ又はＭｅである、［３２］に記載のペルフルオロポリエーテルポリマー。
［３４］
前記ポリマーが次の一般的構造を有し、
【化３】
2011508251.tif 000004
式中、ＰＥＯが少なくとも４つの反復単位を有する、ポリエチレンオキシドであるとともに、Ｒ’が独立してＨ又はＭｅである、［３２］に記載のペルフルオロポリエーテルポリマー。
［３５］
前記ポリマーが次の一般的構造を有し、
【化４】
2011508251.tif 000005
式中、ＰＥＯが少なくとも４つの反復単位を有する、ポリエチレンオキシドであるとともに、Ｒ’が独立してＨ又はＭｅである、［３２］に記載のペルフルオロポリエーテルポリマー。
［３６］
前記ポリマーが次の一般的構造を有し、
【化５】
2011508251.tif 000006
式中、ＰＥＯが少なくとも４つの反復単位を有する、ポリエチレンオキシドであるとともに、Ｒ’が独立してＨ又はＭｅである、［３２］に記載のペルフルオロポリエーテルポリマー。
［３７］
前記ポリマーが次の一般的構造を有し、超分岐されており、
【化６】
2011508251.tif 000007
式中、ＰＥＯが少なくとも４つの反復単位を含むポリエチレンオキシドであり、Ｒ’が独立してＨ又はＭｅであるとともに、ｐが別の繰り返されたポリマー鎖を表す、［３２］に記載のペルフルオロポリエーテルポリマー。
［３８］
ｉ）少なくとも６００ｇ／モルの分子量を有する、少なくとも１種のペルフルオロポリエーテルモノエチレン系不飽和モノマー、
ｉｉ）少なくとも１種のポリ（アルキレンオキシド）エチレン系不飽和モノマー、及び
ｉｉｉ）所望により、ペルフルオロポリエーテル基及びアルキレンオキシド反復単位を欠く、少なくとも１種のエチレン系不飽和モノマー又は連鎖移動剤を重合させることによって、ポリマー中間体を形成すること、
ここで、ｉ）、ｉｉ）、又はｉｉｉ）のうち少なくとも１つが、エチレン系不飽和ではない反応性基−ＲＡを更に含み；
前記ポリマー中間体の−ＲＡ基を、ｉｖ）−ＲＡと反応する−ＲＢ基及び少なくとも１つのエチレン系不飽和基を含む少なくとも１種のモノマーと反応させること、を含む、少なくとも１つの重合性エチレン系不飽和基を含むペルフルオロポリエーテルポリマーの調製方法。
［３９］
−ＲＡの−ＲＢとの反応によりウレタン結合が生じる、［３８］に記載の方法。
［４０］
−ＲＡがイソシアネート反応性基を含み、かつ−ＲＢがイソシアネート基である、［３８］に記載の方法。
［４１］
−ＲＡがイソシアネート基を含み、かつ−ＲＢがイソシアネート反応性基である、［３８］に記載の方法。
［４２］
前記イソシアネート反応性基が−ＯＨ及びアミン基から独立して選択される、［３８］〜［４１］のいずれか一項に記載の方法。
［４３］
ｉｉ）、ｉｉｉ）及びｉｖ）のうち少なくとも１つが反応性基−ＲＡを更に含む、［３８］に記載の方法。
［４４］
ｉ）、ｉｉ）、ｉｉｉ）及びｉｖ）が１種以上のモノエチレン系不飽和モノマーからなる、［３８］に記載の方法。
［４５］
前記方法が反応性基−ＲＡを欠く連鎖移動剤を更に含む、［３８］に記載の方法。
［４６］
前記ペルフルオロポリエーテルポリマーが次の一般的構造：
【化７】
2011508251.tif 000008
を有する、［３８］に記載の方法。
［４７］
ｉ）少なくとも６００ｇ／モルの分子量を有する、少なくとも１種のペルフルオロポリエーテル単官能性エチレン系不飽和モノマー、
ｉｉ）少なくとも１つのエチレン系不飽和基を含む、少なくとも１種のポリ（アルキレンオキシド）モノマー、及び
ｉｉｉ）所望により、ペルフルオロポリエーテル基及びアルキレンオキシド反復単位を欠く、少なくとも１種のエチレン系不飽和モノマーを同時に重合させることを含む、少なくとも１つの重合性エチレン系不飽和基を含むペルフルオロポリエーテルポリマーの調製方法であって、
ｉｉ）又はｉｉｉ）のうち少なくとも１つが、少なくとも２つのエチレン系不飽和基を含む、方法。
［４８］
ｉｉ）が単官能性エチレン系不飽和モノマーを含む、［４７］に記載の方法。
［４９］
ｉｉ）がジ−エチレン系不飽和モノマーを含む、［４７］に記載の方法。
［５０］
ｉｉｉ）が少なくとも２つのエチレン系不飽和基を有する非フッ素化モノマーを含む、［４７］に記載の方法。
［５１］
ｉｉｉ）が少なくとも３つのエチレン系不飽和基を有する非フッ素化モノマーを含む、［４７］に記載の方法。
［５２］
前記重合性エチレン系不飽和基がラジカル重合性基である、［４７］〜［５１］のいずれか一項に記載の方法。
［５３］
前記重合性エチレン系不飽和基が（メタ）アクリル基である、［５２］に記載の方法。
【手続補正２】
【補正対象書類名】特許請求の範囲
【補正対象項目名】全文
【補正方法】変更
【補正の内容】
【特許請求の範囲】
【請求項１】
次の一般式で表されるペルフルオロポリエーテルポリマーであって、
【化８】
2011508251.tif 000009
式中、
ＭＦＰＥは、ペルフルオロポリエーテル基及び少なくとも６００ｇ／モルの分子量を有する、１種以上のモノエチレン系不飽和モノマーに由来する反復単位を表し、
ＭＡＯは、アルキレンオキシド反復単位を有する１種以上のエチレン系不飽和モノマーに由来する反復単位を表し、
ＭＭＡは、ペルフルオロポリエーテル基及びアルキレンオキシド反復単位を欠く、エチレン系不飽和モノマーに由来する単位を表し、
各Ｘは個別に各々独立して、エチレン系不飽和基を含み、
ｎ及びｍは各々独立して、１〜１００の値を表し、ここでｎ＋ｍの合計は少なくとも３であり、
ｑは０〜１００の値を表し、かつ
ｒ及びｓは各々独立して、ｒ＋ｓの合計が少なくとも１であるという条件で０〜６の値を表す、ペルフルオロポリエーテルポリマー。
【請求項２】
前記ポリマーが約５〜５０質量％のＭＦＰＥを含む、請求項１に記載のペルフルオロポリエーテルポリマー。
【請求項３】
ＭＡＯが少なくとも４つのエチレンオキシド反復単位を含む、請求項１に記載のペルフルオロポリエーテルポリマー。
【請求項４】
ｉ）少なくとも６００ｇ／モルの分子量を有する、少なくとも１種のペルフルオロポリエーテルモノエチレン系不飽和モノマー、
ｉｉ）少なくとも１種のポリ（アルキレンオキシド）エチレン系不飽和モノマー、及び
ｉｉｉ）所望により、ペルフルオロポリエーテル基及びアルキレンオキシド反復単位を欠く、少なくとも１種のエチレン系不飽和モノマー又は連鎖移動剤を重合させることによって、ポリマー中間体を形成すること、
ここで、ｉ）、ｉｉ）、又はｉｉｉ）のうち少なくとも１つが、エチレン系不飽和ではない反応性基−ＲＡを更に含み；
前記ポリマー中間体の−ＲＡ基を、ｉｖ）−ＲＡと反応する−ＲＢ基及び少なくとも１つのエチレン系不飽和基を含む少なくとも１種のモノマーと反応させること、を含む、少なくとも１つの重合性エチレン系不飽和基を含むペルフルオロポリエーテルポリマーの調製方法。
【請求項５】
−ＲＡの−ＲＢとの反応によりウレタン結合が生じる、請求項４に記載の方法。
【請求項６】
１０％以下のセルロース表面引力を示す表面層を有する光学基材を含む、光学ディスプレイであって、
当該表面層が
Ａ）請求項１に記載の少なくとも１種のペルフルオロポリエーテルポリマーと、
Ｂ）少なくとも５０質量％の非フッ素化結合剤前駆体との反応生成物を含む、光学ディスプレイ。